(57)【特許請求の範囲】
【請求項１】
伝送路を介して識別子が割り当てられた被制御器を制御する制御装置と、
前記伝送路を介して前記制御装置に接続され、所定のメッセージを示すメッセージ表示画面を表示可能な表示部を有するとともに、前記所定のメッセージに識別子が割り当てられた表示端末器とを備え、
前記被制御器は自己に割り当てられた識別子を含む制御信号を前記伝送路を介して受信したときにオンオフ制御を実行し、前記表示端末器は前記所定のメッセージに割り当てられた識別子を含む制御信号を前記伝送路を介して受信したときに前記メッセージ表示画面に前記所定のメッセージを表示または非表示制御を行うことを特徴とする、制御システム。
【請求項２】
前記表示端末器は、前記メッセージ表示画面に示す前記所定のメッセージを設定するメッセージ設定機能を有することを特徴とする、請求項１に記載の制御システム。
【請求項３】
前記メッセージ表示画面が前記表示部に表示されている間に、前記メッセージ表示画面のオフ操作がなされた場合、予めスケジュールされた所定時間の経過後に前記メッセージ表示画面が表示されることを特徴とする、請求項１または２に記載の制御システム。
【請求項４】
前記被制御器は、照明器具であることを特徴とする、請求項１ないし３のいずれか一に記載の制御システム。
【請求項５】
前記制御装置は、前記被制御器を操作するための操作器と、制御対象となる所定の前記被制御器または前記所定のメッセージに割り当てられている前記識別子との対応情報が格納されている記憶部を有し、前記操作器の操作によって前記操作器に対応する識別子を含む制御信号を前記伝送路を介して送信することを特徴とする、請求項１ないし４のいずれか一に記載の制御システム。
【発明の詳細な説明】
【技術分野】
【０００１】
本実施形態は、制御システムに関する。
【背景技術】
【０００２】
従来、オフィスビルや各種施設などでは、各フロアや各エリアなどの照明エリア毎に設置される照明器具などの照明負荷を遠隔制御する制御システムが採用されている。
【０００３】
近年、この制御システムのスイッチ操作器として、ユーザの操作性を向上させるために液晶表示機能を有する壁面取り付け型の表示端末器が使用され始めている。この表示端末器は、液晶タッチスイッチを備えることで、スイッチのコンパクト化やスイッチサイズの変更などを可能とし、ユーザの操作性が向上する。
【０００４】
このような表示端末器は、従来のように照明のオン・オフを制御するスイッチ機能だけでなく、液晶表示画面にメッセージを表示させることもできる。これを利用し、バックライトの交換時期などを液晶表示画面に表示させるシステムが提案されている。
【０００５】
しかしながら、このような提案においては、予めシステムに設定されているタイミングで、予め登録されている固定メッセージしか表示させることができず、ユーザが意図的に所望のメッセージを所望のタイミングで表示させることができなかった。
【先行技術文献】
【特許文献】
【０００６】
【特許文献１】特開２０１２−１９８４１９号公報
【発明の概要】
【発明が解決しようとする課題】
【０００７】
本実施形態は、ユーザが所望のメッセージを所望のタイミングで簡単に表示端末器に表示させることができる、制御システムを提供することを目的とする。
【課題を解決するための手段】
【０００８】
本実施形態の制御システムは、伝送路を介して識別子が割り当てられた被制御器を制御する制御装置と、前記伝送路を介して前記制御装置に接続され、所定のメッセージを示すメッセージ表示画面を表示可能な表示部を有するとともに、前記所定のメッセージに識別子が割り当てられた表示端末器とを備え、前記被制御器は自己に割り当てられた識別子を含む制御信号を前記伝送路を介して受信したときにオンオフ制御を実行し、前記表示端末器は前記所定のメッセージに割り当てられた識別子を含む制御信号を前記伝送路を介して受信したときに前記メッセージ表示画面に前記所定のメッセージを表示または非表示制御を行う。
【発明の効果】
【０００９】
本実施形態によれば、ユーザが所望のメッセージを所望のタイミングで簡単に表示端末器に表示させることができる、制御システムを提供することができる。
【図面の簡単な説明】
【００１０】
【図１】本発明の実施形態に係わる制御システム１の構成を説明する概略ブロック図。
【図２】表示端末器１３の構成の一例を説明する概略ブロック図。
【図３】表示端末器１３の表示画面の一例を説明する図。
【図４】表示端末器１３のメッセージ表示画面１３ｂの一例を説明する図。
【図５】メモリ１３３に格納されているメッセージ対応表を説明する図。
【図６】表示端末器１３のメッセージ設定画面の一例を説明する図。
【図７】伝送コントローラ１２の構成の一例を説明する概略ブロック図。
【図８】メモリ１２４に格納されているアドレス割り当て情報テーブルを説明する図。
【発明を実施するための形態】
【００１１】
以下、図面を参照して実施形態を説明する。
【００１２】
図１は、本発明の実施形態に係わる制御システム１の構成を説明する概略ブロック図である。制御システム１は、遠隔制御用のクライアント端末としてのパーソナルコンピュータ（以下、ＰＣと示す）１１と、制御装置としての伝送コントローラ１２と、表示端末器１３と、人感センサ１４と、壁スイッチ１５と、複数の制御端末器１６ａ、１６ｂとを含んで構成されている。ＰＣ１１と、伝送コントローラ１２と、表示端末器１３と、壁スイッチ１５と、人感センサ１４と、複数の制御端末器１６ａ、１６ｂとは、伝送路としての信号伝送ライン１８により接続されている。
【００１３】
伝送コントローラ１２は、例えば、オフィスビルや各種施設などの各フロアや各エリアなどの照明エリア毎に設置される制御端末器１６ａ、１６ｂを遠隔制御するセンタ装置として構成される。伝送コントローラ１２の詳細な構成については、後に詳述する。
【００１４】
表示端末器１３は、タッチパネル式の例えば液晶ディスプレイ型の入力装置として構成される。制御端末器１６ａ、１６ｂ等の集合であるグループに対応する、操作器としてのオン・オフスイッチを有しており、ユーザのスイッチ操作に基づいて、対応する制御端末器１６又は複数の制御端末器１６ａ、１６ｂの集合からなるグループを、例えばオンにするかオフにするかのオンオフ制御等の制御指示信号を伝送コントローラ１２に出力する。なお、オン・オフスイッチに対応するグループは、制御端末器１６ａ、１６ｂ等に対応する一つの照明器具１７であってもよい。また、表示端末器１３は、伝送コントローラ１２からの制御信号に従って、ディスプレイ上に所定のメッセージ画面を表示させる。
【００１５】
人感センサ１４は、人の存在を検知して照明器具１７を点灯制御するためのセンサ端末器である。この人感センサ１４は、伝送インタフェースを介して信号伝送ライン１８に接続される。さらに、この人感センサ１４は、人の存在を人から放射される赤外線を検知する赤外線検出部、人感センサ１４のアドレスを記憶するメモリなどを有して構成される。赤外線検出部により人の存在を検知すると、対応する制御端末器１６ａ、１６ｂ等の集合で構成されるグループを、例えばオンにするかオフにするかのオンオフ制御等の制御指示信号を伝送コントローラ１２に出力する。
【００１６】
壁スイッチ１５は、制御端末器１６ａ、１６ｂ等の集合であるグループに対応するオン・オフスイッチを有している。ユーザのスイッチ操作に基づいて、対応する制御端末器１６ａ、１６ｂ等の集合で構成されるグループを、例えばオンにするかオフにするかのオンオフ制御等の制御指示信号を伝送コントローラ１２に出力する。なお、壁スイッチ１５のオン・オフスイッチに対応するグループも同様に、制御端末器１６ａ、１６ｂ等に対応する一つの照明器具１７で構成してもよい。
【００１７】
制御端末器１６ａ、１６ｂは、複数の照明器具１７ａ、１７ｂがそれぞれ接続可能に構成されている。例えば、図１に示す制御システム１においては、それぞれの制御端末器１６ａ、１６ｂに３つの照明器具１７ａ、１７ｂが接続されている。制御端末器１６ａ、１６ｂに接続される照明器具１７ａ、１７ｂは、リレー回路（以下、リレー）によりオン・オフされる。このリレーは、接続された複数の照明器具１７ａ、１７ｂに対して点灯及び消灯制御を行うものである。制御端末器１６ａ、１６ｂには、個別アドレスと呼ばれる識別子が割り当てられている。伝送コントローラ１２から特定の個別アドレスとオンオフ制御指示とからなる制御信号を受信し、該制御信号に自身の個別アドレスが指定されている場合に、対応する照明器具１７ａ、１７ｂへの電源の供給をオンオフ制御指示に従ってオン・オフし、照明器具１７ａ、１７ｂの点灯・消灯を制御する。
【００１８】
照明器具１７ａ、１７ｂは、例えば、ランプや発光ダイオード（ＬＥＤ）などの光源を用いたものが用いられる。なお、照明器具１７ａ、１７ｂは、制御端末器１６ａ、１６ｂと一体的に構成し、直接的に信号伝送ライン１８に接続してもよい。
【００１９】
次に、制御システム１を構成する各要素について、詳細な構成を説明する。  
【００２０】
図２は、表示端末器１３の構成の一例を説明する概略ブロック図である。図２に示すように、表示端末器１３は、例えば信号伝送ライン１８との間で制御信号などを送受信するためのＩ／Ｆ１３１と、表示端末器１３の動作制御を行うＣＰＵ１３２と、メモリ１３３と、液晶ディスプレイなどで構成される表示部１３４とから主に構成されている。
【００２１】
ＣＰＵ１３２は、ユーザのスイッチ操作に基づき制御指示信号を生成したり、伝送コントローラ１２から入力される制御信号に基づき表示部１３４に表示させる画面を制御したりする。
【００２２】
表示部１３４には、通常、図３に示すような操作画面１３ａが表示される。図３は、表示端末器１３の表示画面の一例を説明する図である。操作画面１３ａは、制御端末器１６ａ、１６ｂ等の集合であるグループのオン・オフを制御するスイッチである操作ボタン１３５を有する。通常、操作画面１３ａには、図３に示すように、複数の操作ボタン１３５が配置されている。各操作ボタン１３５には、それぞれ特定のグループが一対一で対応づけられている。操作ボタン１３５とグループとの対応関係に関する情報は、伝送コントローラ１２に格納されている。なお、図３においては、すべての操作ボタン１３５を等しい形状で構成しているが、異なる大きさや異なる形状の操作ボタン１３５を操作画面１３ａに表示させてもよいし、その配置も自由に設定することができる。
【００２３】
操作画面１３ａには、表示画面を切り替える表示切替タグ１３６も設けられている。表示切替タグ１３６を押下すると、表示部１３４が切り替わり、例えば、操作画面１３ａに表示していない操作ボタン１３５が配置されている別の操作画面を表示させることができる。
【００２４】
表示部１３４には、操作画面１３ａだけでなく、図４に示すようなメッセージ表示画面１３ｂも表示させることができる。図４は、表示端末器１３のメッセージ表示画面の一例を説明する図である。メッセージ表示画面１３ｂは、伝送コントローラ１２から入力される制御信号に基づき表示される画面である。メッセージ表示画面１３ｂには、制御端末器１６ａ、１６ｂと同様に、個別アドレスと呼ばれる識別子が割り当てられている。メッセージ表示画面１３ｂと、同画面に表示させるメッセージとは一対一に対応づけられている。従って、表示部１３４に表示させたいメッセージが複数個ある場合は、それぞれのメッセージを表示させるためのメッセージ表示画面１３ｂが用意される。
【００２５】
メッセージ表示画面１３ｂに割り当てられた個別アドレスと画面に表示させるメッセージとの対応関係は、メッセージ対応表としてメモリ１３３に格納されている。図５は、メモリ１３３に格納されているメッセージ対応表を説明する図である。図５に示すように、例えば、個別アドレス１２７−１が割り当てられているメッセージ表示画面１３ｂには“本日は提示退社日です”というメッセージが対応づけられており、個別アドレス１２７−２が割り当てられているメッセージ表示画面１３ｂには“必要のない照明を消してください”というメッセージが対応づけられているものとする。この場合、伝送コントローラ１２から個別アドレス１２７−１をオンにする旨の制御信号が入力されると、“本日は提示退社日です”という記述のメッセージ表示画面１３ｂが表示部１３４に表示される。
【００２６】
なお、図４に示す一例では、表示部１３４に既に表示されている操作画面１３ａの全体に覆いかぶさるようになどにメッセージ表示画面１３ｂを表示させているが、表示の仕方はこれに限定されるものではなく、例えば表示部１３４の下半分に表示させたり、操作画面１３ａを縮小表示させることで生じた余白部分に表示させたりするなど、ユーザの指向や使い勝手などに応じて設定することができる。
【００２７】
メッセージ表示画面１３ｂは、画面上に配置されているＯＫボタンを押下（オフ操作）することで、元の画面（メッセージ表示画面１３ｂが表示される直前に表示されていた画面）に戻ることができる。なお、メッセージ表示画面１３ｂは、ＯＫボタンが押下されてから所定時間が経過すると再表示させることも可能である。この場合、ＯＫボタンが押下されてからメッセージ表示画面１３ｂを再表示させるまでの時間は、表示端末器１３または伝送コントローラ１２に設定してもよい。伝送コントローラ１２に設定する場合には、例えばＰＣ１１を用いて設定することができる。また、伝送コントローラ１２に再表示させるまでの時間を設定しメッセージ表示画面１３ｂを再表示する場合は、オフ操作した旨を伝送コントローラ１２に送信し、その後所定時間経過後にメッセージ表示画面１３ｂに対応したアドレスを含む制御信号を送信するようにしてもよい。
【００２８】
メッセージ対応表の内容は、例えば図６に示すようなメッセージ設定画面を用いて設定することができる。図６は、表示端末器１３のメッセージ設定画面の一例を説明する図である。例えば、メッセージ設定画面において、メッセージ表示画面１３ｂに割り当てられている個別アドレスを指定すると、該個別アドレスに対応づけられているメッセージが画面上に表示されるとともに、変更可能なメッセージ一覧が表示される。メッセージを変更したい場合、例えば、所望のメッセージのチェックボックスを押下し、続いて画面下部の記憶ボタンを押下することで、メッセージ対応表が上書きされる。メッセージの変更を取りやめる場合、画面下部のキャンセルボタンを押下することで、メッセージ対応表を変更せずに設定画面を終了することができる。
【００２９】
なお、メッセージ表示画面１３ｂに表示させるメッセージは、あらかじめ登録されている固定のメッセージ一覧から選択するだけでなく、ユーザが任意のメッセージを作成して登録することができる。
【００３０】
図７は、伝送コントローラ１２の構成の一例を説明する概略ブロック図である。図７に示すように、伝送コントローラ１２は、例えば、電源１２１と、ＰＣ１１との間で制御信号を送受信するための通信Ｉ／Ｆ１２２と、マイクロコントローラ１２３と、メモリ１２４と、信号伝送ライン１８との間で制御信号などを送受信するための伝送回路１２５とから主に構成されている。
【００３１】
マイクロコントローラ１２３は、表示端末器１３や壁スイッチ１５から入力される制御指示信号に基づき、該制御指示信号に含まれる個別アドレスに対してオンオフ制御指示を行うための制御信号を生成する。生成された制御信号は、伝送回路１２５を介して信号伝送ライン１８へ出力され、信号伝送ライン１８に接続されている表示端末器１３や制御端末器１６ａ、１６ｂに送信される。
【００３２】
メモリ１２４には、各制御端末器１６ａ、１６ｂに割り当てられた個別アドレス、及び、表示端末器１３のメッセージ表示画面１３ｂに割り当てられた個別アドレスを、所定のグループに割り付けて設定された、アドレス割り当て情報テーブルが格納されている。また、壁スイッチ１５に設けられているオン・オフスイッチや、表示端末器１３に設けられている操作ボタン１３５は、それぞれグループと一対一に対応づけられておりこれらの対応関係の設定情報も、メモリ１２４に格納されている。更に、メモリ１２４には、各グループのオンオフ制御のスケジュール情報なども格納されている。
【００３３】
図８は、メモリ１２４に格納されているアドレス割り当て情報テーブルを説明する図である。図８に示すように、例えばグループ１−１、グループ１０−１、グループ１０−２の３つのアドレス割り当て情報テーブルがメモリ１２４に格納されているとする。グループ１−１には個別アドレス１−１、個別アドレス１−２の２つの個別アドレスが割り当てられており、グループ１０−１には個別アドレス１−１、個別アドレス１２７−１が割り当てられており、グループ１０−２には個別アドレス１２７−２が割り当てられているとする。
【００３４】
ここで、個別アドレス１−１は制御端末器１６ａに、個別アドレス１−２は制御端末器１６ｂにそれぞれ割り当てられているとする。また、図５に示すように、個別アドレス１２７−１は、“本日は提示退社日です”というメッセージが対応づけられたメッセージ表示画面１３ｂに割り当てられており、個別アドレス１２７−２は、“必要のない照明を消してください”というメッセージが対応づけられたメッセージ表示画面１３ｂに割り当てられているとする。
【００３５】
ここで、例えば、グループ１−１と対応付けられている壁スイッチ１５のオン・オフスイッチ、又は、表示端末器１３に設けられている操作ボタン１３５を押下すると、壁スイッチ１５、又は表示端末器１３から伝送コントローラ１２に対し、オンオフ制御等の制御指示信号が入力される。伝送コントローラ１２は、入力された制御指示信号に基づき、メモリ１２４に格納されているアドレス割り当て情報テーブルを参照して、グループ１−１に割り当てられている個別アドレスとして、個別アドレス１−１と個別アドレス１−２とを抽出する。そして、抽出した個別アドレスとオンオフ制御指示とからなる制御信号を生成し、伝送回路１２５を介して信号伝送ライン１８へ出力する。制御信号は、信号伝送ライン１８に接続されている表示端末器１３や制御端末器１６ａ、１６ｂに送信される。
【００３６】
表示端末器１３や制御端末器１６ａ、１６ｂは、入力された制御信号で特定される個別アドレスの中に、自身に割り当てられている個別アドレスが含まれている場合、オンオフ制御指示を実行する。この場合、個別アドレス１−１と個別アドレス１−２とが制御信号で特定されているので、個別アドレス１−１が割り当てられている制御端末器１６ａと、個別アドレス１−２が割り当てられている制御端末器１６ｂとが、オンオフ制御指示を実行する。具体的には、制御端末器１６ａ、１６ｂに接続されている複数の照明器具１７ａ、１７ｂのオンオフ制御を実行する。一方、表示端末器１３には、個別アドレス１−１や個別アドレス１−２が割り当てられているメッセージ表示画面１３ｂが存在しないため、オンオフ制御指示の実行は行わない。
【００３７】
また、例えば、グループ１０−１と対応付けられている壁スイッチ１５のオン・オフスイッチ、又は、表示端末器１３に設けられている操作ボタン１３５を押下すると、壁スイッチ１５、又は表示端末器１３から伝送コントローラ１２に対し、オンオフ制御等の制御指示信号が入力される。伝送コントローラ１２は、入力された制御指示信号に基づき、メモリ１２４に格納されているアドレス割り当て情報テーブルを参照して、グループ１０−１に割り当てられている個別アドレスとして、個別アドレス１−１と個別アドレス１２７−１とを抽出する。そして、抽出した個別アドレスとオンオフ制御指示とからなる制御信号を生成し、伝送回路１２５を介して信号伝送ライン１８へ出力する。制御信号は、信号伝送ライン１８に接続されている表示端末器１３や制御端末器１６ａ、１６ｂに送信される。
【００３８】
表示端末器１３や制御端末器１６ａ、１６ｂは、入力された制御信号で特定される個別アドレスの中に、自身に割り当てられている個別アドレスが含まれている場合、オンオフ制御指示を実行する。この場合、個別アドレス１−１と個別アドレス１２７−１とが制御信号で特定されているので、個別アドレス１−１が割り当てられている制御端末器１６ａと、個別アドレス１２７−１が割り当てられている“本日は提示退社日です”というメッセージが対応づけられた表示端末器１３のメッセージ表示画面１３ｂとが、オンオフ制御指示を実行する。
【００３９】
具体的には、制御端末器１６ａに接続されている複数の照明器具１７ａのオンオフ制御と、“本日は提示退社日です”というメッセージを表示させるメッセージ表示画面１３ｂのオンオフ制御（表示・非表示制御）とを実行する。一方、制御端末器１６ｂには、個別アドレス１−１や個別アドレス１２７−１が割り当てられていないため、オンオフ制御指示の実行は行わない。
【００４０】
さらに、例えば、グループ１０−２と対応付けられている壁スイッチ１５のオン・オフスイッチ、又は、表示端末器１３に設けられている操作ボタン１３５を押下すると、壁スイッチ１５、又は表示端末器１３から伝送コントローラ１２に対し、オンオフ制御等の制御指示信号が入力される。伝送コントローラ１２は、入力された制御指示信号に基づき、メモリ１２４に格納されているアドレス割り当て情報テーブルを参照して、グループ１−１に割り当てられている個別アドレスとして、個別アドレス１２７−２を抽出する。そして、抽出した個別アドレスとオンオフ制御指示とからなる制御信号を生成し、伝送回路１２５を介して信号伝送ライン１８へ出力する。制御信号は、信号伝送ライン１８に接続されている表示端末器１３や制御端末器１６ａ、１６ｂに送信される。
【００４１】
表示端末器１３や制御端末器１６ａ、１６ｂは、入力された制御信号で特定される個別アドレスの中に、自身に割り当てられている個別アドレスが含まれている場合、オンオフ制御指示を実行する。この場合、個別アドレス１２７−２が制御信号で特定されているので、個別アドレス１２７−２が割り当てられている“必要のない照明を消してください”というメッセージが対応づけられた表示端末器１３のメッセージ表示画面１３ｂが、オンオフ制御指示（表示・非表示制御）を実行する。一方、制御端末器１６ａ、１６ｂには、個別アドレス１２７−２が割り当てられていないため、オンオフ制御指示の実行は行わない。
【００４２】
このように、本実施形態によれば、表示端末器にメッセージを表示させるためのメッセージ表示画面に対し、照明器具が接続されている制御端末器と同様の個別アドレスを割り当てている。従って、照明器具のオンオフ制御と同様に、メッセージ表示画面の個別アドレスに対応付けられた壁スイッチのオン・オフスイッチ、又は、表示端末器に設けられている操作ボタンをユーザが所望のタイミングで押下することにより、メッセージを表示端末器に表示させることができる。また、メッセージ表示画面に表示させるメッセージは、表示端末器から設定可能になされている。よって、ユーザが所望のメッセージを所望のタイミングで簡単に表示端末器に表示させることができる。
【００４３】
なお、上述の制御システムは、壁スイッチのオン・オフスイッチ、又は、表示端末器に設けられている操作ボタンが押下されると、伝送コントローラ１２から信号伝送ラインに所定の制御信号を所定のタイミングで出力するように構成されているが、スイッチや操作ボタンの押下のタイミング以外にも、所定の制御信号を所定のタイミングで出力するよう、ＰＣによってスケジューリング情報を伝送コントローラ１２に登録する機能も設けることも可能である。また、オフィスの他の設備と連動し、他設備から火災や地震などの緊急時情報などが入力されると、適切なメッセージを表示端末器に表示させるように構成してもよい。
【００４４】
本明細書における各「部」は、実施の形態の各機能に対応する概念的なもので、必ずしも特定のハードウェアやソフトウエア・ルーチンに１対１には対応しない。従って、本明細書では、実施の形態の各機能を有する仮想的回路ブロック（部）を想定して実施の形態を説明した。
【００４５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４６】
１…制御システム、１１…ＰＣ、１２…伝送コントローラ、１３…表示端末器、１３ａ…操作画面、１３ａ、１３ｂ…メッセージ表示画面、１４…人感センサ、１５…壁スイッチ、１６、１６ａ、１６ｂ…制御端末器、１７、１７ａ、１７ｂ…照明器具、１８…信号伝送ライン、１２１…電源、１２２…通信Ｉ／Ｆ、１２３…マイクロコントローラ、１２４、１３３…メモリ、１２５…伝送回路、１３１…Ｉ／Ｆ、１３２…ＣＰＵ、１３４…表示部、１３５…操作ボタン、１３６…表示切替タグ
【図１】
0006375824.tif 000002
【図２】
0006375824.tif 000003
【図３】
0006375824.tif 000004
【図４】
0006375824.tif 000005
【図５】
0006375824.tif 000006
【図６】
0006375824.tif 000007
【図７】
0006375824.tif 000008
【図８】
0006375824.tif 000009